(57)【要約】      （修正有）【課題】使用する水量を減らすことと同時に、水量を減らしても有効なスラリーを生成することの出来る霧滴による投射が可能な湿潤型湿式ブラスト用ノズルを提供する。【解決手段】主管であるベンチュリー管８の端部にある研削材圧送口から、圧送された研削材１７をサクション側端部の絞り１８でさらに圧縮し、流速を速めることで水吸引口１５に負圧を作り、ベンチュリー管８の外周に設けた水量調節室９と次なる経路にある、同じくベンチュリー管８の外周に設けた分散室１０を通じて、負圧による霧状の水滴を利用し研削材１７をスラリー状にする、異なった働きをするベンチュリー管８と分散室１０及び水量調整室９の３個のパーツを合体させた構造で出来ている。【選択図】図２
0003195278.tif 000002
【実用新案登録請求の範囲】
【請求項１】
主管であるベンチュリー管の端部にある研削材圧送口から、圧送された研削材をサクション側端部の絞りでさらに圧縮し、流速を速めることで水吸引口に負圧を作り、ベンチュリー管の外周に設けた水量調節室と次なる経路にある、同じくベンチュリー管の外周に設けた分散室を通じて、負圧による霧状の水滴を利用し研削材をスラリー状にする、異なった働きをする３個のパーツを合体させた構造で出来た、湿潤型湿式ブラスト用ノズル。
【請求項２】
水量調節室は、オリフィス構造でオリフィス孔は、水量調節室側壁の円周上数か所に、直径１ｍｍ未満の開口部を配置し水量を極力減らす構造とした、請求項１に記載した湿潤型湿式ブラスト用ノズル。
【請求項３】
分散室は、水量調節室とベンチュリー管の間に配置され、ベンチュリー管とはベンチュリー管の水吸引口とつながり、ベンチュリー管の中に研削材が圧送されることで発現する負圧が吸引力を発生させ、水量調節室からオリフィス孔を通じて加圧された微少の水が流入することで、分散室で膨張しテーパ状の側壁に当たり均等に拡散霧滴化し、吸引口からベンチュリー管に引き込まれ研削材と混合されスラリー状となる、請求項１に記載した湿潤型湿式ブラスト用ノズル。
【請求項４】
ベンチュリー管の内壁は、耐摩耗性に優れたセラミック材を貼り合わせた二重構造で形成される、請求項１に記載した湿潤型湿式ブラスト用ノズル。
【考案の詳細な説明】
【技術分野】
【０００１】本考案は、湿式ブラストに使用する水量を減らしても湿式ブラストの目的である塵埃抑制、火花及び静電気抑止、さらに研削材の跳ね返り防止効果をもたらす、湿潤型湿式ブラスト用ノズルに関するものである。
【背景技術】
【０００２】従来の湿式ブラスト装置は、大きく分けて研削材を水をタンク内で混合し圧縮空気でノズルに送り込みスラリーとなった研削材を投射する方式と、ノズルにベンチュリー管の原理を応用し、ノズル内でスラリー化して投射するいずれかの方式があるが、どちらの方式でも作動に必要な水量はかなり必要で、微少の水量でスラリー化出来ることが可能な湿式ブラスト用ノズルの実用化は出来なかった。
【先行技術文献】
【特許文献】
【０００３】
【特許文献１】  特開２０１４−０８３６０９公報
【特許文献２】  特開２０１３−１４６８５２公報
【特許文献３】  特開２００１−１２１４２４公報
【特許文献４】  特開２００１−２７７１２０公報
【特許文献５】  特開２００１−１２１４２４公報
【特許文献６】  特開  平１０−  ４４０４５公報
【考案の開示】
【考案が解決しようとする課題】
【０００４】そこで、ブラストノズルの吸引経路に水量調節室と分散室を設け、分散室で霧滴化した水をブラストノズルに吸引させ、少量の水で研削材をスラリー化させて投射を行えるようにした、湿潤型湿式ブラスト用ノズルを本考案により創案された。【０００５】本考案は、以下の（ａ）（ｃ）を目的とする。
（ａ）  供給する水を水量調節室に注入し、オリフィス孔を小さくすることで水量を少なく調整し、少量の水で研削材をスリラー化する湿潤型湿式ブラストノズルを提供すること、を目的とする。
（ｂ）  水量調節室からの供給水を分散室に流入させ、分散室で水を霧滴化さすことが出来る湿潤型湿式ブラストノズルを提供すること、を目的とする。
（ｃ）  （ａ）及び（ｂ）を通じて霧滴化された水をベンチュリー管に導入し、研削材をスリラー化して投射する際、摩擦によるベンチュリー管の磨耗を防止するため、ベンチュリー管の内面をセラミック素材で施工した、湿潤型湿式ブラストノズルを提供すること、を目的とする。
【課題を解決する為の手段】
【０００６】上記課題を解決する為には、ベンチュリー管で発現する負圧の吸引力を利用する際、水路の一次側に水量調節室を設け、オリフィス孔の径で水量を調節し、次なる拡散室で水を霧滴化してベンチュリー管の吸引孔からベンチュリー管に導入し、研削材と混合することでスラリー化することを可能とすること、を特徴とする。
【考案の効果】
【０００７】請求項１に関わる考案は、ベンチュリー管と水量を調整し水量を減らす水量調節室と、水量調節室から流入する水を霧滴化する分散室を設けることで、使用する水量を抑制して投射するスラリーを生成する湿潤型湿式ブラスト用ノズルを可能としたこと、を特徴とする。
【０００８】請求項２に関する考案は、水量を調整する水量調節室に関し、送水側に設けたオリフィス孔の径を直径１ｍｍ未満とすることで、水量を極力低減さす湿潤型湿式ブラスト用ノズルを可能とすること、を特徴とする。
【０００９】請求項３に関する考案は、分散室に関するもので、水量調節室から注入された微量水が分散室に注入される際に、オリフィス孔で圧縮された水が分散室の空間で、解放され膨張し拡散しテーパ状の側壁に衝突することで霧滴化する湿潤型湿式ブラスト用ノズルを可能とすること、を特徴とする。
【考案を実施するための最良の形態】ベンチュリー管の吸引口につながる経路に、水量調節室を設け、オリフィス孔を小さく作ることで水量を低減し、水量調節室から分散室に水が流れ込む際に、オリフィスにより圧縮された水が分散室で解放され膨張することで、水が霧滴化されその霧滴をベンチュリー管に引き込み、使用水量を極力削減し研削材と混合してスラリー化する湿潤型湿式ブラスト用ノズルを提供する事を可能とした。
【実施例１】
【００１０】この考案の実施例を図１、図２、図３、図４に示す。図１の湿潤型湿式ブラスト用ノズルを利用したシステムの概要について述べる。【００１１】図１は、湿潤型湿式ブラスト用ノズル１とセットされるシステムで、ブラストタンク２の内部には研削材が投入されて、コンプレッサー３からの圧縮空気でブラストタンク２の内部気圧が上がり、研削材は押し出されブラストホース６から湿潤型湿式ブラスト用ノズル１圧送される。【００１２】圧送された研削材は、湿潤型湿式ブラスト用ノズル１の内部を通過する際、負圧が発現し水槽４内の水は水パイプ５を通じて湿潤型湿式ブラスト用ノズル１に導入され、研削材と混合されてスラリー７となり投射される。【００１３】図２は、湿潤型湿式ブラストノズル１の断面図で、ベンチュリー管８の外周に水量調節室９と分散室１０を配し、分散室１０とつながる水吸引口１５でベンチュリー管８と合体されている。【００１４】研削材１７は、コンプレッサーにより加圧されベンチュリー管８のサクション側から圧入される。圧入された研削材１７は、ベンチュリー管８の絞り１８でさらに圧縮されることで、水吸引孔１５近辺は低圧になり吸引力が発現する。【００１５】吸引力が発現すれば、それにつながる分散室１０や水量調節室９には、給水口２２から水が湿潤型湿式ノズル１に給水１３され、水量調節室９の貯水タンク１１を介してオリフィス孔１２から、水は分散室１０に注がれる。【００１６】水は、オリフィス孔１２を通過する際に圧縮されるが、分散室１０で水は膨張し霧状になる。霧状になった水分子は、分散室１０のテーパ壁１４に衝突し、さらに細かく砕かれて霧滴となる。霧滴は、霧滴経路１６となり水吸引口１５からベンチュリー管８に導かれる。【００１７】霧滴は、研削材１７と混合されスラリー２０となり投射口１９よりワークへ投射される。【００１８】図３は、水量調節室９のサクション側には、給水口２２が１〜２個設けられ貯水タンク１１と結ばれている。デリベリ側には２〜４個程度の直径１ｍｍ未満のオリフィス孔１２が設けられ、オリフィス孔１２により水量は大幅に削減されることとなる。【００１９】図４は、分散室１０の形状を表し分散室１０は、一定の空間を有することで、水量調節室から流入する圧縮水を膨張させ、細かな霧状にしてテーパ壁１４にぶつけ霧滴化とし研削材と混ぜることで、過剰な水分を除去したスラリーを製造することができる。
【図面の簡単な説明】
【００２０】
【図１】湿潤型湿式ブラスト用ノズルの実施形態図
【図２】湿潤型湿式ブラスト用ノズルの断面図
【図３】水量調節室の概略図
【図４】分散室の概略図
【符号の説明】
【００２１】    １  湿潤型湿式ブラスト用ノズル
２  ブラストタンク
３  コンプレッサー
４  水槽
５  水パイプ
６  ブラストホース
７  スラリー
８  ベンチュリー管
９  水量調節室
１０  分散室
１１  貯水タンク
１２  オリフィス孔
１３  給水
１４  テーパ壁
１５  水吸引口
１６  霧滴経路
１７  研削材
１８  絞り
１９  投射口
２０  スラリー
２１  セラミック壁
２２  給水口
【図１】
0003195278.tif 000003
【図２】
0003195278.tif 000004
【図３】
0003195278.tif 000005
【図４】
0003195278.tif 000006
【手続補正書】
【提出日】平成26年10月10日(2014.10.10)
【手続補正１】
【補正対象書類名】実用新案登録請求の範囲
【補正対象項目名】請求項１
【補正方法】変更
【補正の内容】
【請求項１】
主管であるベンチュリー管の端部にある研削材圧送口から、圧送された研削材をサクション側端部の絞りでさらに圧縮し、流速を速めることで水吸引口に負圧を作り、ベンチュリー管の外周に設けた水量調節室と次なる経路にある、同じくベンチュリー管の外周に設けた分散室を通じて、負圧による霧状の水滴を利用し研削材をスラリー状にする、異なった働きをするベンチュリー管と分散室及び水量調整室の３個のパーツを合体させた構造で出来た、湿潤型湿式ブラスト用ノズル。